(57)【要約】【課題】ワイヤレスマイクに至近のスピーカー以外のスピーカーのゲインを抑制させるようなカラオケ装置に好適なスピーカー装置を提供する。【解決手段】エンクロージャーにスピーカーとワイヤレスマイク受信手段が装備され、入力信号ケーブルと、出力信号ケーブルとが接続され、入力信号ケーブルからの音声信号によって駆動されて放音するスピーカーと、ワイヤレスマイクからの無線信号を捕捉可能な信号捕捉器と、捕捉された無線信号を受信復調して音声信号を出力する受信回路と、捕捉された無線信号の受信信号強度を検出して受信強度信号を出力する強度検出回路と、受信回路からの音声信号と強度検出回路からの受信強度信号とを多重化して出力信号ケーブルに導出する多重化回路とを備えたスピーカー装置とする。【選択図】  図２
2007006138.tif 000002
【特許請求の範囲】
【請求項１】
エンクロージャーにスピーカーとワイヤレスマイク受信手段が装備され、入力信号ケーブルと、出力信号ケーブルとが接続されるスピーカー装置であって、
スピーカーは、入力信号ケーブルからの音声信号によって駆動されて放音し、
ワイヤレスマイク受信手段は、信号捕捉器と、受信回路と、強度検出回路と、多重化回路とを備え、
信号捕捉器は、ワイヤレスマイクからの無線信号を捕捉可能であり、
受信回路は、捕捉された無線信号を受信復調して音声信号を出力し、
強度検出回路は、捕捉された無線信号の受信信号強度を検出して受信強度信号を出力し、
多重化回路は、受信回路からの音声信号と強度検出回路からの受信強度信号とを多重化して出力信号ケーブルに導出する
スピーカー装置。
【請求項２】
信号捕捉器は、マイクロ波のアンテナであることを特徴とする
請求項１に記載のスピーカー装置。
【請求項３】
信号捕捉器は、赤外線センサであることを特徴とする
請求項１に記載のスピーカー装置。
【発明の詳細な説明】
【技術分野】
【０００１】
この発明は、複数の接客ゾーンが緩やかに区分された飲食店に設置するカラオケ装置に適用するのに好適なスピーカー装置に関する。
【背景技術】
【０００２】
一般に多数のスピーカー装置を備えたワイヤレスマイク拡声システムは、たとえば広い講演会場にスピーカー装置を散在させて設置して使用する。ワイヤレスマイクを介した講師の音声は、会場の隅々にまで届くように、どのスピーカー装置からも同じように音声出力される。特開２００２−７８０３７号公報には、ワイヤレスマイクの使用環境にあわせて音量や音質を調整できるワイヤレスマイク拡声装置も開示されている。
【特許文献１】特開２００２−７８０３７号公報
【発明の開示】
【発明が解決しようとする課題】
【０００３】
カラオケ装置では、ワイヤレスマイクに向かって歌唱した音声がカラオケ伴奏音楽と混合されてスピーカーから音響出力される。  
たとえばカラオケスナックのような業態の店舗では、１台のカラオケ装置を店内にいるすべての客が共有し、店内では一様に同じカラオケ伴奏音楽と歌唱音声とが放音される。このような店舗にはいろいろな個人やグループで来店したさまざまな客が店内に散在しているが、自分がカラオケを歌唱している間も、他人がカラオケを歌唱している間も、店内には同じようにカラオケ演奏と歌唱音声が放音される。しかし、自分や仲間が歌っているのならまだしも、見ず知らずの他人の歌唱を当事者と同じように否応なく聴かされるのでは、仲間との会話に熱中できないなど苦痛な場合もある。
【０００４】
そこで、他人とカラオケ空間を共有する場合であっても、他人が歌っている間には、その歌唱者本人の周辺だけに歌唱音声が放音されるようにして、それ以外ではＢＧＭ程度に歌唱音量が抑制されると、耳障りになることなく便利である。
【課題を解決するための手段】
【０００５】
典型的なワイヤレスマイクは、マイクロ波などの電磁波あるいは赤外線を搬送波とする信号を送信する。前者のタイプでは、マイクロ波アンテナが信号捕捉器となり、後者のタイプでは赤外線センサが信号捕捉器となる。いずれのタイプにおいても、送信信号を発するワイヤレスマイクが信号捕捉器（アンテナや赤外線センサであるが、代表してアンテナとする）に近づくほど、アンテナによる受信強度が大きくなる。つまり、アンテナとワイヤレスマイクの距離が小さくなるほど、アンテナによる受信強度が大きくなる。  
この出願の発明者は、上記の事実に着目し、アンテナをスピーカーの側に設置しておくと、スピーカーとワイヤレスマイクとの距離が小さくなるほど、アンテナによる受信強度が大きくなることに思いいたった。この着想を発展させて本発明を創作した。
【０００６】
そこで本発明に係るワイヤレスマイク拡声システム用のスピーカー装置は、つぎの事項（１）〜（７）により特定されるものとした。  
（１）エンクロージャーにスピーカーとワイヤレスマイク受信手段が装備され、入力信号ケーブルと、出力信号ケーブルとが接続されるスピーカー装置であること
（２）スピーカーは、入力信号ケーブルからの音声信号によって駆動されて放音すること
（３）ワイヤレスマイク受信手段は、信号捕捉器と、受信回路と、強度検出回路と、多重化回路とを備えること
（４）信号捕捉器は、ワイヤレスマイクからの無線信号を捕捉可能であること
（５）受信回路は、捕捉された無線信号を受信復調して音声信号を出力すること
（６）強度検出回路は、捕捉された無線信号の受信信号強度を検出して受信強度信号を出力すること
（７）多重化回路は、受信回路からの音声信号と強度検出回路からの受信強度信号とを多重化して出力信号ケーブルに導出すること
【０００７】
この発明において、信号捕捉器は、マイクロ波のアンテナまたは赤外線センサとすることが望ましい。
【発明の効果】
【０００８】
このスピーカー装置は、スピーカーと一体的にワイヤレスマイク受信機が設けられているため、スピーカー装置の設置場所におけるワイヤレスマイクからの受信強度がわかる構成になっている。しかもカラオケ装置などの音響装置とはケーブルで簡単に接続できる。そのため、たとえばこのスピーカー装置をカラオケ装置に適用すると、ワイヤレスマイクからの受信強度が大きい場合に音響出力を際だたせ、受信強度が小さい場合にはワイヤレスマイクからの音声量を抑制することが可能となる。そして、多数のこのスピーカー装置を１台のカラオケ装置に接続して店内に散在させておくと、ワイヤレスマイクに近いスピーカー装置からのみ、ワイヤレスマイクに入力された音声が際だって聞こえるようにできる。そのため、他人とカラオケ空間を共有する場合であっても、歌唱音声が他の人の耳障りになることを避けて、穏やかにカラオケ空間を共有できる。また、カラオケ演奏はＢＧＭとして継続されるので、店内の雰囲気が大きく変わることがなく、その点においても穏やかにカラオケ空間を共有できる。
【発明を実施するための最良の形態】
【０００９】
＝＝＝スピーカー装置の構成＝＝＝
この実施例にかかるスピーカー装置は、外観は図１に例示したように、ほぼ直方体のエンクロージャーにより構成されている。また、図２にはその概略ブロック構成を例示している。本スピーカー装置１は、アンテナ２・受信復調回路３・受信強度検出回路４・多重化回路５・スピーカー６から構成される。つまり、スピーカー装置１にワイヤレスマイクからの無線信号を受信復調するワイヤレスマイク受信機を一体的に設けた構成である。
【００１０】
アンテナ２は、ワイヤレスマイクからの無線信号を受信する。受信復調回路３は、アンテナ２による受信信号を復調・増幅して音声信号を出力する。受信強度検出回路４は、アンテナ２による受信強度を検出し、これをデジタル化した受信強度信号を出力する。多重化回路５は、受信復調回路３から出力された音声信号と、受信強度検出回路４から出力された受信強度信号とを多重化して出力する。
【００１１】
この本実施例のスピーカー装置１を設置する際のエンクロージャーの前面には、同一面内にアンテナ２とスピーカー６とが配設されている。また、エンクロージャーの背面からは、多重化回路５の出力端子から外部音響機器の音声入力端子に導くための音声信号出力プラグがマイクケーブルで引き出され、スピーカー６から外部音響機器の音声出力端子に導くためのスピーカーケーブルが引き出され、また商用電源コンセントに接続される電源プラグがケーブルで引き出されている。
【００１２】
＝＝＝カラオケ装置への適用例＝＝＝
この発明に係るスピーカー装置１は、つぎのような飲食店のカラオケ設備に適用することで、その設計思想に適した実施ができる。ある種の飲食店の大型店舗では、広い店舗空間が多数の接客ゾーンに緩やかに区切られていて、全体として空間が共用されている。その店舗に１台のカラオケ装置が配設されていて、多数の接客ゾーンをくまなくカバーするように、多数のスピーカー装置が各接客ゾーンを分担するように配置されている。この店舗では、１台のステレオスピーカーから大音量を発して店舗全体に響かせるのではなく、控えめな小音量を発する多数のスピーカー装置で多数の接客ゾーンを分担する。なお、本スピーカー装置１は、カラオケ装置にケーブルで接続するだけで簡単に適用可能である。
【００１３】
図３にこのスピーカー装置１を適用したカラオケ装置の電気的なシステム構成の発明要部を示している。この実施例では、説明を簡単にするため、４台のスピーカー装置１ａ〜１ｄをカラオケ装置に適用するものとする。このカラオケ装置は、マイコン７・音楽再生部８・ミキシングアンプ９ａ〜９ｄの他、分離回路１０ａ〜１０ｄ・セレクタ１１・分配器１２を備えて構成される。カラオケ装置の全体を統括する制御は、図示していないメインコンピュータが行う。
【００１４】
各スピーカー装置１ａ〜１ｄは、マイクケーブルとスピーカーケーブルによってカラオケ装置に接続され、たとえばカウンターコーナー・大型ソファコーナー・テーブル席コーナー・ステージというように複数の接客ゾーンに緩やかに区切られた店内において、各接客ゾーンを分担するように分散して天井部分などに配設されている。
【００１５】
図３において、音楽再生部８は、前記メインコンピュータの制御により、リクエスト曲のカラオケデータに基づいてステレオ伴奏音楽を演奏する。そして、右チャネルの音楽信号をミキシングアンプ９ａ、９ｃで増幅して２台のスピーカー装置１ａ，１ｃに向けて出力し、左チャネルの音楽信号をミキシングアンプ９ｂ，９ｄで増幅してスピーカー装置１ｂ，１ｄに向けて出力する。
【００１６】
カラオケ装置には、各スピーカー装置１ａ〜１ｄに組み込まれた４つのワイヤレスマイク受信機から出力される前述の多重化信号が供給される。前述したように、この多重化信号は、ワイヤレスマイクの無線信号を受信して復調した音声信号と、無線信号の受信強度を示す信号とが多重化されたものである。  
各分離回路１０ａ〜１０ｄでは、各スピーカー装置１ａ〜１ｄのワイヤレスマイク受信機から受信した多重化信号を音声信号と受信強度信号とに分離し、音声信号をセレクタ１１に入力し、受信強度信号をマイコン７に入力する。
【００１７】
マイコン７は、各分離回路１０ａ〜１０ｄからの受信強度信号を相互比較し、４つのワイヤレスマイク受信機の中のどれでの受信強度が最大かを判定し、最大受信強度を示したワイヤレスマイク受信機からの音声信号を選択するように、セレクタ１１を制御する。  
セレクタ１１からは、４つのワイヤレスマイク受信機からの音声信号のうちマイコン７で指定された１つの音声信号が選択出力され、分配器１２に供給される。
【００１８】
分配器１２は、１入力４出力のマルチチャネルアンプであり、４つのアンプのゲインがマイコン７からの信号によって個別に制御される。マイコン７は、４つのワイヤレスマイク受信機からの受信強度信号に基づいて、分配器１２内の４つのアンプのゲインを以下に説明するように制御する。
【００１９】
分配器１２の４出力は、４つのミキシングアンプ９ａ〜９ｄにそれぞれ入力され、音楽再生部８からの伴奏音楽の音声信号と、セレクタ１１で選択されたワイヤレスマイク受信機からの歌声の音声信号とが混合増幅される。４つのミキシングアンプ９ａ〜９ｄの出力は、それぞれスピーカーケーブルを介して４台のスピーカー装置１ａ〜１ｄに供給され、各スピーカー６ａ〜６ｄから放音される。
【００２０】
＝＝＝ゲイン指定＝＝＝
マイコン７は、４つのワイヤレスマイク受信機からの受信強度信号に基づいて、分配器１２内の４つのアンプのゲインを指定する。例えば、どのワイヤレスマイク受信機での受信強度が最大であったかによって、そのワイヤレスマイク受信機が組み込まれたスピーカー装置１に接続するアンプに対して、また、その他のスピーカー装置１に接続するアンプに対して、それぞれ指定するゲインを予め設定してメモリ１３に記憶させておく。スピーカー装置１の配置により、指定ゲインの組み合わせを決めておけばよい。
【００２１】
つまり、例えば受信強度が最大を示したワイヤレスマイク受信機が組み込まれたスピーカー装置が１ａであった場合には、そのスピーカー装置１ａに接続するアンプへの指定ゲインを１とする。そして、そのスピーカー装置１ａの近隣に配置されたスピーカー装置１ｂに接続するアンプへの指定ゲインを０．４とし、その他のスピーカー装置１ｃ、１ｄに接続するアンプへの指定ゲインを０．１とする。
【００２２】
こうすると、ワイヤレスマイクに至近のスピーカー６ａからは歌唱音声がそのまま放音され、その近隣のスピーカー６ｂからの歌唱音声の放音は半分以下に抑制される。それ以外のスピーカー６ｃ、６ｄからは歌唱音声がほとんど放音されなくなる。つまり、歌唱者に至近のスピーカー６ａからだけ歌唱音声がそのまま出力され、その他のスピーカー６ｂ〜６ｄではその配置に応じて歌唱音声が抑制される。この場合にも、カラオケ伴奏音楽はいずれのスピーカー６ａ〜６ｄからも変わらず出力される。したがって、歌唱者から離れた場所でもＢＧＭとしてのカラオケ演奏は継続され、店内の雰囲気を大きく変えてしまう心配はない。
【００２３】
もちろん、各ワイヤレスマイク受信機での受信強度に比例するように、各ワイヤレスマイク受信機が組み込まれたスピーカー装置１ａ〜１ｄに接続する各アンプのゲインをそれぞれ指定する方法でもよい。その場合には、各スピーカー装置１ａ〜１ｄの歌唱者からの距離などに応じて歌唱音声が適宜に抑制されるので、上記実施例と同様に、カラオケ空間を穏やかに共有することが可能となる。
【００２４】
＝＝＝他の実施形態＝＝＝
前記実施例では、各ミキシングアンプ９ａ〜９ｂの前段でゲインを指定して歌唱音声の音量を抑制する方式としているが、別の方式として、各ミキシングアンプ９ａ〜９ｄの出力系路にてゲインを指定して音量を抑制するようにしてもよい。この場合には、歌唱音声とカラオケ伴奏音楽とを混合した後にゲインを指定することになるので、歌唱者に至近のスピーカー装置１以外では、歌唱音声とともにカラオケ伴奏音楽もあわせて音量抑制されることになる。したがって、歌唱者から遠いスピーカー装置１に対しても、指定ゲインを限りなくゼロにするより適宜に小さい値にすれば、いっそう耳障りな音を抑制してカラオケ空間を共有できる。
【００２５】
ワイヤレスマイクの無線方式は、マイクロ波などの電波式に限るものではなく、赤外線式も本発明を適用可能である。その場合、ワイヤレスマイク受信機には赤外線センサを適用する。
【００２６】
なお、スピーカー装置に商用電源を供給せずに、マイクケーブルの音声信号に直流電源を重畳させて供給すれば、商用電源コードを省くことができる。
【００２７】
また、商用電源を供給するのであれば、スピーカー６を駆動するパワーアンプをスピーカー装置に内蔵させるとよい、その場合ミキシングアンプ９ａ〜９ｂからはパワーアンプ回路を省くことができ、スピーカーケーブルの代わりに音声信号ケーブルで接続する。
【図面の簡単な説明】
【００２８】
【図１】本実施例に係るスピーカー装置の外観斜視図である。
【図２】同上スピーカー装置の機能ブロック図である。
【図３】同上スピーカー装置を適応したカラオケ装置の機能ブロック図である。
【符号の説明】
【００２９】
１  スピーカー装置
２  アンテナ
３  受信復調回路
４  受信強度検出回路
５  多重化回路
６  スピーカー
【図１】
2007006138.tif 000003
【図２】
2007006138.tif 000004
【図３】
2007006138.tif 000005